(57)【特許請求の範囲】
【請求項１】
法面に縦横間隔をおき配置した多数のワイヤロープを、アンカー及び結合してネツト状に張設し、又は法面に金網を敷き詰め、多数のワイヤロープをアンカー及び結合してネツト状に張設した落石等防護工において、ワイヤロープの側部に着脱可能に取り付けてロープ張力が所定値に高まると作動する複数の着脱式ロープ張力検出器と、法面に建て込み各ロープ張力検出器に作動線を介して連結し前記の作動によつて危険表示に切り変わる危険表示器とを具備してなり、前記着脱式ロープ張力検出器が、ワイヤロープの側部に間隔をおき着脱される一対のガイドロールと、両ガイドロール間のワイヤロープを着脱可能に支持してロープ張力に抗しワイヤロープを引き込み湾曲させる張力検出部材と、張力検出部材をバネ付勢してワイヤロープとともに引き込みロープ張力が所定値に高くなると作動する作動手段とを具備し、前記張力検出部材が、本体の中央部間に固設した一方のバネ受けに挿通したガイド扞付きの挟持部材と、挟持部材にねじで取り付けてワイヤロープを挟持する他方の挟持部材等からなっていることを特徴とする法面崩落等の危険表示装置。
【請求項２】
法面に上下間隔をおき複数段に打設した複数の抵抗板付きアンカーと、各抵抗板付きアンカーに連結又は連通し外端部をアンカーして張設したワイヤロープと、各ワイヤロープの側部に着脱可能に取り付けてロープ張力が所定値に高まると作動する複数の着脱式ロープ張力検出器と、法面に建て込み各ロープ張力検出器に作動線を介して連結し前記の作動によつて危険表示に切り変わる危険表示器とを具備してなり、前記着脱式ロープ張力検出器が、ワイヤロープの側部に間隔をおき着脱される一対のガイドロールと、両ガイドロール間のワイヤロープを着脱可能に支持してロープ張力に抗しワイヤロープを引き込み湾曲させる張力検出部材と、張力検出部材をバネ付勢してワイヤロープとともに引き込みロープ張力が所定値に高くなると作動する作動手段とを具備し、前記張力検出部材が、本体の中央部間に固設した一方のバネ受けに挿通したガイド扞付きの挟持部材と、挟持部材にねじで取り付けてワイヤロープを挟持る他方の挟持部材等からなっていることを特徴とする法面崩落等の危険表示装置。
【請求項３】
ロープ張力検出器の作動手段に対設した作動スイツチと、作動スイツチに信号線を介して連結した危険監視手段とからなる遠隔監視装置を連設したことを特徴とする請求項１又は請求項２に記載の法面崩落等の危険表示・監視装置。
【発明の詳細な説明】
【０００１】
【発明の属する技術分野】
本発明は、法面に施工した落石等防護工に随時に付設して落石等の危険を検知し、又は法面自体に施し崩落等の危険を検知して表示し、遠隔地でも監視可能として法面崩落等の危険表示装置及び危険表示・監視装置に関するものである。
【０００２】
【従来の技術】
従来、落石等の恐れがある法面には、法面に縦横間隔をおき配置した多数のワイヤロープを、アンカーで支持しロープ交差部をクリツプ等で結合するなどしてネツト状に張設し、又は、法面に金網を敷き詰め、多数のワイヤロープを同様にネツト状に張設して、法面の落石等を長期にわたり抑制して防護する落石等防護工が施工されている。この落石等防護工は、長期にわたる浮石等の移動等によりロープ張力が次第に増加して落石等の危険が生じる恐れがあるため、定期的に検査する必要がある。また、ワイヤロープ中に予め歪ゲージを介装して張設し、歪ゲージによりロープ張力を検出して、連結したテレビ等によつて長期的にわたり崩落等の危険を遠隔地で監視する監視装置が開発されている。
【０００３】
また、表層崩落等の恐れがある法面では、表層自体に各種の検出機器を埋設するとともに、その検出機器に解析手段を連結して、長期的にわたり法面の移動等を経時的に観測して崩落メカニズム等を学術的な解明がなされている。
【０００４】
【発明が解決しようとする課題】
前記の落石等防護工に付設した監視装置は、施工に際し予めワイヤロープ中に介装した歪ゲージによつて長期にわたりロープ張力を検出して監視する構造になつているため腐食し易く信頼性に欠ける。また、張設したワイヤロープ中の歪ゲージの取り替え交換等に手数、手間を要し必要に応じて随時に付設することが難しい。施工現場近くで崩落等の危険を直接的に察知できないなどの課題がある。また、前記のような学術的な解明手段は、法面における基本的な崩落メカニズム等の解明には効果的であるが、随時に施工したり施工現場近くで崩落等の危険を直接的に察知する手段としては実用性がないなどの課題がある。
【０００５】
本発明は、前記のような課題を解決するために開発されたものであり、その目的とする処は、ロープ側部にロープ張力検出器を取り付け、建て込んだ危険表示器さらに遠隔監視装置に連結して、随時に容易に施工して法面崩落等の危険を施工現場近くで察知したり遠隔監視も可能にするなど、施工性とともに法面崩落等の危険表示性能、信頼性を向上した法面崩落等の危険表示装置及びその危険表示・監視装置を提供するにある。
【０００６】
【課題を解決するための手段】
本発明は、法面に縦横間隔をおき配置した多数のワイヤロープをアンカー及び結合してネツト状に張設し、又は法面に金網を敷き詰め、多数のワイヤロープを同様にネツト状に張設した落石等防護工において、ワイヤロープの側部に着脱可能に取り付けてロープ張力が所定値に高まると作動する複数の着脱式ロープ張力検出器と、法面に建て込み各ロープ張力検出器に作動線を介して連結し前記の作動によつて危険表示に切り変わる危険表示器とを具備し、しかも前記着脱式ロープ張力検出器が、ワイヤロープの側部に間隔をおき着脱される一対のガイドロールと、両ガイドロール間のワイヤロープを着脱可能に支持してロープ張力に抗しワイヤロープを引き込み湾曲させる張力検出部材と、張力検出部材をバネ付勢してワイヤロープとともに引き込みロープ張力が所定値に高くなると作動する作動手段とを具備し、前記張力検出部材が、両本体の中央部間に固設した一方のバネ受けに挿通したガイド扞付きの挟持部材と、挟持部材にねじで取り付けてワイヤロープを挟持る他方の挟持部材等からなっていることを特徴としている。
落石等防護工のワイヤロープ側部に複数の着脱式ロープ張力検出器を取り付け危険表示器を建て込み及び連結して、施工中の落石等防護工の要所に複数組のロープ張力検出器と危険表示器を随時に容易に付設して、落石等防護工の施工現場近くでかつ複数箇所で落石等の危険を直接的に察知可能とし、施工性とともに落石等の危険表示性能、信頼性を高めている。ことに、一対のガイドロールと張力検出部材により、ロープ側部にロープ張力検出器を随時に容易に取り付け、また、張力検出部材の作動手段により、ロープ張力が所定値に高くなると機械的に精度良く作動可能にするなど、着脱性能とともに作動性能、信頼性を高めている。
【０００７】
法面に上下間隔をおき複数段に打設した複数の抵抗板付きアンカーと、各抵抗板付きアンカーに連結や連通し外端部をアンカーして張設したワイヤロープと、各ワイヤロープの側部に着脱可能に取り付けてロープ張力が所定値に高まると作動する複数の着脱式ロープ張力検出器と、法面に建て込み各ロープ張力検出器に作動線を介して連結し前記の作動によつて危険表示に切り変わる危険表示器とを具備し、しかも前記着脱式ロープ張力検出器が、ワイヤロープの側部に間隔をおき着脱される一対のガイドロールと、両ガイドロール間のワイヤロープを着脱可能に支持してロープ張力に抗しワイヤロープを引き込み湾曲させる張力検出部材と、張力検出部材をバネ付勢してワイヤロープとともに引き込みロープ張力が所定値に高くなると作動する作動手段とを具備し、前記張力検出部材が、両本体の中央部間に固設した一方のバネ受けに挿通したガイド扞付きの挟持部材と、挟持部材にねじで取り付けてワイヤロープを挟持る他方の挟持部材等からなっていることを特徴としている。
抵抗板付きアンカーの複数段の建て込み、ワイヤロープの連結や連通及び外端部のアンカー、複数の着脱式ロープ張力検出器を取り付けと危険表示器を建て込み及び連結により、比較的に簡単な機構で随時に容易に施工され、法面近くでかつ複数箇所で崩落等の危険を直接的に察知可能とし、施工性とともに法面崩落等の危険表示性能、信頼性を高めている。ことに、一対のガイドロールと張力検出部材により、ロープ側部にロープ張力検出器を随時に容易に取り付け、また、張力検出部材の作動手段により、ロープ張力が所定値に高くなると機械的に精度良く作動可能にするなど、着脱性能とともに作動性能、信頼性を高めている。
【０００８】
【０００９】
さらに、前記の法面崩落等の危険予知装置において、ロープ張力検出器の作動手段に対設した作動スイツチと、作動スイツチに信号線を介して連結した危険監視手段とからなる遠隔監視装置を連設した法面崩落等の危険予知・監視装置に特徴を有し、この遠隔監視装置により法面崩落等の危険を遠隔地でも察知して監視可能とするなど、総合的に優れた法面崩落等の危険表示性能さらには監視性能、信頼性が得られる。
【００１０】
【発明の実施の形態】
図１に本発明の法面の落石等防護工に施した危険表示装置及び危険表示・監視装置の第１実施例、図２に法面自体に施した危険表示装置及び危険表示・監視装置の第２実施例、図３に着脱式ロープ張力検出器の一実施例、図４に危険表示器の一実施例、図５にアンカーの一実施例、図６に他のアンカーの実施例、図７にロープ交差部のクリツプの一実施例、図８に抵抗板付きアンカーの実施例を示している。
図中Ｇは法面、Ｓは崩落等の恐れがある浮石等、１は落石等防護工、１ａ，１ｂは縦横に張設したワイヤロープ、２，３はワイヤロープの端部又は中間部のアンカー、４は抵抗板付きアンカー、５はロープ交差部のクリツプ、６は金網、１０はガイドローラ１５や張力検出部材１６及び作動手段１７等からなる着脱式ロープ張力検出器、２０は法面に建て込んだ危険表示器、Ｆ，Ｆ１はバネ付勢とロープ張力、３０は作動スイツチ３１や信号線３２及び監視手段３４等からなる遠隔監視装置である。
【００１１】
図示の実施例は、法面Ｇに縦横間隔をおき配置した多数のワイヤロープ１ａ，１ｂをアンカー２，３し及び結合して各ワイヤロープをネツト状に張設し、又は法面に金網６を敷き詰め、多数のワイヤロープを同様にネツト状に張設した落石等防護工１において、ワイヤロープ１ａ，１ｂの側部に着脱可能に取り付けロープ張力Ｆ１が所定値に高まると作動する複数の着脱式ロープ張力検出器１０と、法面に建て込み各ロープ張力検出器に作動線１９を介して連結し前記の作動によつて危険表示に切り変わる危険表示器２０とを具備したことを特徴とする法面崩落等の危険表示装置になつている。
【００１２】
法面に上下間隔をおき複数段に打設した複数の抵抗板４ｂ付きアンカー４と、各抵抗板付きアンカーに連結又は連通して外端部をアンカー２して張設したワイヤロープ１ａ，１ｂと、各ワイヤロープに着脱可能に取り付けてロープ張力Ｆ１が所定値に高まると作動する複数の着脱式ロープ張力検出器１０と、法面に建て込み各ロープ張力検出器に作動線を介して連結し前記の作動によつて危険表示に切り変わる危険表示器２０とを具備したことを特徴とする法面崩落等の危険表示装置になつている。
【００１３】
また、前記の法面崩落等の危険表示装置において、ロープ張力検出器１０は、ワイヤロープ１ａ，１ｂの側部に間隔をおき着脱される一対のガイドロール１５と、両ガイドロール間のワイヤロープを着脱可能に支持してロープ張力Ｆ１に抗し引き込み湾曲させる張力検出部材１６と、張力検出部材をバネ付勢Ｆしてワイヤロープを引き込みロープ張力が所定値に高くなると危険表示に作動する作動手段１７を具備したことを特徴とする法面崩落等の危険表示装置になつている。
【００１４】
さらに、前記の法面崩落等の危険表示装置において、ロープ張力検出器１０の作動手段１７に対設した作動スイツチ３１と、作動スイツチに連結した信号線３２と、信号線に連結して危険表示をする監視手段３４とからなる遠隔監視装置３を連設したことを特徴とする法面崩落等の危険表示・監視装置になつている。
【００１５】
さらに詳述すると、第１実施例の落石等防護工１は、図１に示すように落石等の恐れのある法面Ｇに施工し、落石等に対応した所要の耐力を有する各種の強靭なワイヤロープ１ａ，１ｂや金網６を適用し、法面に多数のワイヤロープ１ａ，１ｂを適度の間隔をおき縦横に配置して多数のアンカー２や３を打設し、各ワイヤロープの両端部や中間部をアンカー２，３し、各ロープ交差部をクリツプ５等で結合し、各ワイヤロープをネツト状に張設するなどして施工される。又は、法面Ｇに金網６を敷き詰め、多数のワイヤロープ１ａ，１ｂを同様にアンカー２，３しクリツプ５により結合して、金網６の敷き詰めとともに各ワイヤロープをネツト状に張設するなどして施工される。さらに、所要のワイヤロープ１ａ，１ｂの所要位置に後述のロープ張力検出器１０及び危険表示器２０さらには遠隔監視装置３０を連設する。
【００１６】
着脱式ロープ張力検出器１０は、図３に示すように複数のボルト・ナツト１２やスペーサー１３等で所定の間隔に組み立てた一対の本体１１を有し、本体の一側部間に一対のガイド溝付きガイドロール１５を適度の間隔で回転可能に軸支して、両本体１１の中央部間にボルト・ナツト１２で固設した一方のバネ受け１７ａに挿通したガイド扞１６ｂ付きの挟持部材１６ａと、挟持部材にねじ１６ｄで取り付けてワイヤロープ１ａ，１ｂを挟持る他方の挟持部材１６ｃ等からなる張力検出部材１６を設け、さらに、張力検出部材１６のガイド扞１６ｂに嵌装又は螺合した圧縮バネ１７ｂや他方のバネ受け１７ｃ、ナツト１７ｄ、及び挟持本体１６ａに突設し作動線１９のインナー線１９ａに連結した作動扞１７ｅ等からなる作動手段１７を設けて、ロープ張力Ｆ１に対抗する圧縮バネ１７ｂのバネ付勢Ｆで張力検出部材１６をワイヤロープ（ガイドロール１５間）とともに図示上方に引き込み湾曲させて着脱可能に取り付けて支持する構造になつている。
【００１７】
前記のロープ張力検出器１０は、図示のように張設したワイヤロープ１ａや１ｂに両ガイドロール１５を当て、張力検出部材１６でガイドロール間のワイヤロープを挟持し、作動手段１７のナツト１７ｄを適度に締め込み割りピン等で回り止めして、圧縮バネ１７ｂのバネ付勢Ｆを所要値にセツトすることにより、両ガイドロール１５で支持したワイヤロープの中間部を張力検出部材１６で適度に引き込み湾曲させた３点支持とし、ロープ張力Ｆ１に対しバネ付勢Ｆを均衡させることにより、随時にワイヤロープの所要位置にロープ張力検出器１０を着脱可能に容易に取り付けて適用する。落石Ｓ等の移動によりロープ張力Ｆ１が適度に高くなると、張力検出部材１６がワイヤロープとともにバネ付勢Ｆに抗して図示下方（図３Ａ参照）に移動し、ロープ張力が所定値に達すると挟持部材１６ａに付設した作動扞１７ｅ及び作動線１９のインナーワイヤ１９ａを介し機械的に作動して危険表示器２０を危険表示に切り変える。また、作動扞１７ｅにより作動スイッチ（開閉スイッチ）３１が作動して信号線３２を閉路し遠隔監視装置３０を作動する。バネ付勢Ｆは、ロープ張力Ｆ１がワイヤロープの耐力に達する前に作動するように設定する。また、ロープ張力検出器１０に付設した適宜の逆止手段（図示省略）によつてその作動が継続される。さらに、図示の張力検出部材１６は、必要に応じワイヤロープを掛けて引き込み支持するフツク等の構造も適用される（図示省略）。
【００１８】
危険表示器２０は、図４に示すように法面Ｇの適所に建て込むロッド２１と、ロッド頭部にバンド２２ａをボルト・ナツト２２ｂ等で取り付けるカバーケース２３と、カバーケースの表面板２４と、カバーケースに内臓しバネ２６等で図示上方にバネ付勢して表面板内に対設した危険表示板２５、及び危険表示板の下部に突設して作動線１９のインナーワイヤ１９ａに連結した作動杆２７等を備え、例えば表面板２４に適宜幅の透明部２４ａや白色部２４ｂを多数交互に形成し、危険表示板２５に適宜幅の白色部２５ａや黄色や赤色の危険警戒色部２５ｂ（必要に応じ蛍光塗料を使用して夜間も遠視可能にする）を多数交互に形成して、通常は危険表示板２５がバネ付勢で図示上方に配置されて各白色部２５ａが表面板２４の透明部２４ａに整合し、表面板２４の全面が白色の安全表示となる。着脱式ロープ張力検出器１０が作動すると、作動杆２７ｅ及び作動線１９のシンナーワイヤ１９ａを介し危険表示板２５の危険警戒色部２５ｂが表面板２４の透明部２４ａに整合して、危険表示に自動で切り変わる構造になつている。なお、必要に応じ危険表示板２５の下降後にその上昇を阻止する適宜の逆止手段を付設する（図示省略）。表面板２４と危険表示板２５による表示手段は、図示例に限らず遠くから目視可能な構造で実施される。
【００１９】
危険監視装置３０は、例えば図３及び図１に示すようにロープ張力検出器１０に付設した開閉スイッチ等の作動スイッチ３１と、作動スイッチによつて開閉路される信号線３２と、信号線に連結して作動されるコントローラー３３と、コンローラーに連結して作動されるテレビ等の表示器３４や、記録器３５、警報機３６等からなり、作動スイッチ３１による信号線３２の閉路によつてコンローラー３３が作動し、この信号に基づき表示器３４はロープ張力検出器１０ごとの崩落等の危険を表示し、記録器３５に具体的に記録し、警報機３６で警報（赤色ランプやブザー等）するなど落石等防護工の部分的な危険状態を遠隔地で容易に察知して監視する構造になつている。
【００２０】
図１に示す落石等防護工１のワイヤロープ１ａ，１ｂにおいて、そのロープ端部には、図５に示すようにアンカーロツド２ａの頭部に鍔部２ｂや環部２ｃ等を設けたアンカー２等を適用し、支持板２ｄを嵌装して法面Ｇに打ち込み膨脹性充填材ｊを充填するなどしてアンカー力を高め、環部２ｃにワイヤロープの端部を連結する構造になつている。ロープ中間部には、図６に示すようにアンカーロツド３ａと、そのボルト部３ｂに嵌装する対のロープ溝付き挟持板３ｃと、連結ボルト３ｄ及び複数のナツト２ｅ等からなるアンカー３等を適用し、法面Ｇにアンカーロツド３ａを打ち込み周囲に適宜の膨脹性充填材ｊを充填するなどしてアンカー力を高め、ボルト部３ｂに両挟持板３ｃと連結ボルト３ｄを嵌挿して、ナツト２ｅで締め込むことにより、両挟持板でワイヤロープ１ａ，１ｂを挟持してアンカーする構造になつている。また、ロープ交差部の結合には、図７に示すようにロープ溝付き支持板５ａと、対のＵ字状部材５ｂ，５ｂと、複数のナツト５ｃからなるクリツプ５等を適用し、ロープ交差部に装着してナツトで締め込み支持板とＵ字状部材で挟持して結合する構造になつている。これらのアンカー及びクリツプは、図示例に限らずさらに多様な構造を適用できる。
【００２１】
図１に示すように落石Ｓ等の恐れのある法面Ｇに施工した落石等防護工１において、ロープネツトが変形したり又は雨季等において必要と認められると、所要のワイヤロープ１ａ，１ｂの端部や中間部の側部に、ロープ張力検出器１０を前記のように着脱可能に取り付けて、法面の適所に危険表示器２０を建て込み作動線１９で連結し、落石等防護工においてその所要のワイヤロープの端部や中間部に付設し法面崩落等の危険予知表示装置として複数組を付設される。さらに、必要に応じ各ロープ張力検出器１０に信号線３２を介し遠隔監視装置３０を連結して法面崩落等の危険表示・監視装置として付設される。
【００２２】
前記の法面崩落等の危険表示装置及び危険表示・監視装置は、施工されている落石等防護工１において、前記のように必要に応じ随時に所要のワイヤロープ１ａ，１ｂにかつその端部や中間部の側部にも容易に付設し複数組の危険表示・監視装置として組み込み、さらに必要に応じ危険表示・監視装置を連結して容易に付設され、取り替え交換や撤去も容易であるなど優れた施工性を有する。また、危険表示装置の着脱式ロープ張力検出器１０は、随時に落石等防護工１のロープ側部に複数取り付けられ、腐食等による格別な悪影響もなくロープ張力Ｆ１を直接に感知して機械的に作動するなど優れた信頼性が得られる。さらに、各危険表示器２０は、法面Ｇに建て込みロープ張力検出器１０に連結して落石等防護工１の要所に配置され、各部に生じる危険状態を確実に表示し、監視人や通行人が落石等防護工の近くで各部の危険状態を容易に目視して精度良く察知できる。危険表示器２０に連結した危険表示・監視装置によつて、前記の危険状態を遠隔地でも容易にかつ的確に確認できるなど、優れた危険表示性能さらには遠隔確認性能が得られる。前記のような法面崩落等の危険表示や遠隔確認によつて退避等の対策が可能となり、また落石等防護工１を局部的に補修するなど、その破壊や崩落等を防止するなどの対応策が効果的に可能となる。
【００２３】
図２に示す法面崩落等の危険表示装置及びその危険表示・監視装置は（第２実施例）、表層自体の崩落等の恐れがある法面Ｇに適用し、図示のように法面Ｇのほぼ全面にわたり少なくとも上下間隔をおき複数（図示例は１２個）の抵抗板４ｂ付きアンカー４を複数段（図示例は６段）に打設し、各アンカー４にワイヤロープ１ａ，１ｂの端部や中間部を連結又は連通し縦や横に配置して、各ワイヤロープの外端部をアンカー２（例えば図５参照）して張設し、各ワイヤロープに好ましくは端部近くの側部に着脱式ロープ張力検出器１０（例えば図３参照）を同様に着脱可能に取り付け、法面に複数の危険表示器２０を建て込み作動線１９を介して連結し法面崩落等の危険表示装置として同様に複数組施工している。必要に応じ各着脱式ロープ張力検出器１０に信号線３２を介し遠隔監視装置３０（例えば図１参照）を連結し法面崩落等の危険表示・監視装置とし連結して施工した構造になつている。
【００２４】
また、前記の抵抗板４ｂ付きアンカー４は、図８に示すようにアンカーロッド４ａに抵抗板４ａを適宜の手段で設け、頭部に鍔４ｃや環部４ｄを設けて、法面Ｇの所要位置にアンカーロッド４ａを適宜の手段で打設し、その環部４ｄにワイヤロープ１ａ，１ｂの端部や中間部を連結又は連通して縦や横に張設可能とし、配置抵抗板４ａの抵抗によつて表層とともに移動可能とし、法面Ｇの移動等に伴うアンカー４及びワイヤロープ１ａ，１ｂの移動に基づくロープ張力Ｆ１の増加を、各着脱式ロープ張力検出器１０で検出して作動する構造になつている。
【００２５】
図２に示す法面崩落等の危険表示装置及びその危険表示・監視装置は、前記のように法面Ｇに複数の抵抗板４ａ付きアンカー４を上下複数段に打設し、各アンカーにワイヤロープ１ａ，１ｂの端部や中間部を連結や連通して外端部をアンカー２して張設し、各ワイヤロープの端部近くの側部に着脱式ロープ張力検出器１０を着脱可能に取り付け、複数の危険表示器２０を法面に建て込み作動線１９を介し連結することにより、法面に複数組の危険表示装置を随時に施工し、必要に応じ信号線３２を介し遠隔監視装置３０を連結して法面崩落等の危険表示・監視装置として施工する。法面Ｇに随時に容易に施工しまた取り替え交換や撤去も容易であるなど、比較的に簡単な装置で優れた施工性を有する。また、上下複数段に打設した各抵抗板４ａ付きアンカー４により、表層自体の移動変位等を的確に精度良く検出して各ワイヤロープ１ａ，１ｂのロープ張力Ｆ１を増加し、各着脱式ロープ張力検出器１０がそのロープ張力を直接的に検出して作動し、法面に建て込んだ各危険表示器２０によつて法面崩落等の各部の危険状態を表示する。遠隔監視装置３０によつてその崩落等の危険状態を遠隔地で監視できるなど、優れた法面崩落等の危険表示性能や遠隔監視性能、信頼性が得られる。抵抗板付きアンカー４やワイヤロープ１ａ，１ｂの個数や配置等は、法面の広がりなどに対応させて図示例に限らず多様な態様で施工される。
【００２６】
【発明の効果】
本発明は、前述のように構成され法面に施工した落石等防護工において、その所要のワイヤロープにおける端部や中間部の側部に複数の着脱式ロープ張力検出器を取り付け、複数の危険表示器を法面に建て込み連結することにより、施工ずみの落石等防護工の要所に複数組のロープ張力検出器及び危険表示器を随時に付設したり取り替え交換や撤去が容易に行われる。また、落石等防護工の施工現場近くでかつ複数箇所で崩落等の危険が直接的に精度良く検出されて表示され、施工性とともに法面崩落等の危険表示性能、信頼性を著しく向上している。
【００２７】
また、法面に複数の抵抗板付きアンカーを上下複数段に打設して、各抵抗板付きアンカーにワイヤロープを連結又は連通し外端部をアンカーして張設し、各ワイヤロープの側部に着脱可能に取り付けロープ張力が所定値に高まると着脱式ロープ張力検出器を設け、法面に危険表示器を建て込み作動線を介し連結して施工したことにより、比較的に簡単な機構によつて随時に容易に施工したり取り替え交換や撤去も可能とし、前記と同様に法面近くの複数箇所で崩落等の危険が直接的に精度良く表示され、施工性とともに法面自体の崩落等の危険表示性能、信頼性を著しく向上している。
【００２８】
また、前記の法面崩落等の危険表示装置において、ロープ張力検出器の一対のガイドロールと張力検出部材により、随時にロープ側部にロープ張力検出器を容易に取り付けたり取り替え交換や撤去も容易とし、張力検出部材の作動手段により、ロープ張力が所定値に高くなると機械的に精度良く作動可能にするなど、着脱性能とともに作動性能、信頼性を著しく高めている。ロープ張力検出器の作動手段に対設した作動スイツチと、作動スイツチに信号線を介して連結した危険監視手段とからなる遠隔監視装置を連設した法面崩落等の危険予知・監視装置に構成したことにより、前記の法面崩落等の危険を遠隔地でも同様に察知して監視可能とするなど、総合的に法面崩落等の危険表示性能さらには監視性能、信頼性を著しく向上している。また、前記の法面崩落等の危険表示や監視より、避難したり補修するなどの対応が可能となつて安全性が効果的に高められる。
【図面の簡単な説明】
【図１】  本発明の法面崩落等の危険予知表示装置及びその危険予知表示・監視装置の第１実施例を示す平面図
【図２】  第２実施例を示す平面視構図
【図３】  ロープ張力検出器の一実施例を示す側面図（Ａ）と平面図（Ｂ）及びＸ−Ｘ線部分の断面図（Ｃ）
【図４】  ロープ張力検出器に連結する表示器の一実施例を示す正面図（Ａ）と上部断面図（Ｂ）及び上部側視図（Ｃ）
【図５】  打設したアンカーの一実施例を示す正面図（Ａ）及びその側面図（Ｂ）
【図６】  アンカーの他の実施例を示す側視図（Ａ）及びその平面図（Ｂ）
【図７】  クリップの一実施例を示す正面図（Ａ）及びその平面図（Ｂ）
【図８】  抵抗板付きアンカーの一実施例を示す側視図（Ａ）及び平面図（Ｂ）である。
【符号の説明】
Ｇ  法面
１  落石等防護工
１ａ、１ｂ  ワイヤロープ
２，３  アンカー
４  抵抗板つきアンカー
６  金網
１０  ロープ張力検出器
１１  本体
１５  ガイドロール
１６  張力検出部材
１６ａ  挟持部材
１６ｂ  ガイド扞
１６ｃ  挟持部材
１６ｄ  ねじ
１７  作動手段
１７ａ  バネ受け
１９  作動線
２０  危険表示器
３０  遠隔監視装置
３１  作動スイッチ
３２  信号線
３４  監視手段
Ｆ  バネ付勢
Ｆ１  ロープ張力
【図１】
0003829012.tif 000002
【図２】
0003829012.tif 000003
【図３】
0003829012.tif 000004
【図４】
0003829012.tif 000005
【図５】
0003829012.tif 000006
【図６】
0003829012.tif 000007
【図７】
0003829012.tif 000008
【図８】
0003829012.tif 000009